(57)【要約】【課題】耐久性および組み立て作業性が良く、アコースティックピアノの鍵タッチ感に近似した鍵タッチ感を得る。【解決手段】鍵２が配列された鍵盤シャーシ１に、アクション荷重を各鍵２に付与するハンマーアーム３を設けた鍵盤装置において、鍵２に延出部３６をその下方に突出させて延設し、この延出部３６の下部にハンマーアーム３の鍵当接部２９を保持するための上固定板部４０と弾性変形可能な下係止部４１とからなるハンマー保持部３８を設けた。従って、上固定板部４０が弾性変形しないことにより、耐久性が高く、鍵２を強く押鍵してもその押鍵動作がハンマーアーム３に確実に伝わるので、アコースティックピアノの鍵タッチ感に近似した鍵タッチ感が得られる。また、ハンマー保持部３８が鍵２の下方に突出しているので、ハンマー保持部３８が見やすく、鍵当接部２９をハンマー保持部３８に保持させやすく、組み立て作業性が良い。【選択図】        図１
2004226688.tif 000002
【特許請求の範囲】
【請求項１】
鍵盤シャーシと、この鍵盤シャーシ上に上下方向に回動可能に配置された複数の鍵と、これら複数の鍵それぞれに対応して配置され、前記鍵の押鍵操作に伴って回動変位して前記鍵にアクション荷重を付与するハンマーアームとを備えた鍵盤装置において、
前記鍵に延出部を前記鍵の下方に突出させて延設し、この延出部の下部に前記ハンマーアームの一端部を挟んで保持するための上固定板部と弾性変形可能な下係止部とからなるハンマー保持部を設けたことを特徴とする鍵盤装置。
【請求項２】
前記ハンマー保持部の前記下係止部は、前記ハンマーアームの前記一端部における先端面に沿って弾性変形して乗り越えることにより、前記先端側の下面を弾力的に保持することを特徴とする請求項１に記載の鍵盤装置。
【請求項３】
前記ハンマーアームの前記一端部における前記先端面の下部には、前記下係止部を弾性変形させて乗り越えさせるための突起部が先端方向に向けて突出して設けられていることを特徴とする請求項２に記載の鍵盤装置。
【請求項４】
前記ハンマー保持部の前記下係止部は、前記ハンマーアームの前記一端部における両側面のうち、少なくとも片面に沿って弾性変形して乗り越えることにより、前記ハンマーアームの前記一端部の下面を弾力的に保持することを特徴とする請求項１に記載の鍵盤装置。
【請求項５】
前記鍵の前記延出部における前記ハンマー保持部の上方に位置する個所には、前記鍵盤シャーシに設けられた鍵ガイドによってガイドされるガイド部が設けられていることを特徴とする請求項１〜４のいずれかに記載の鍵盤装置。
【発明の詳細な説明】
【０００１】
【発明の属する技術分野】
この発明は、電子ピアノなどの鍵盤楽器に用いられる鍵盤装置に関する。
【０００２】
【従来の技術】
従来、電子ピアノなどの鍵盤楽器においては、アコースティックピアノの鍵タッチ感に近似した鍵タッチ感を得るために、鍵の下側に錘を有するハンマーアームを上下方向に回動可能に設け、鍵の押鍵操作に伴ってハンマーアームがその錘の重量に抗して回動することにより、鍵に所定のアクション荷重を付与するようにしたものがある（例えば、特許文献１参照。）。
【０００３】
【特許文献１】
特開２０００−３５２９７８（Ｐ２０００−３５２９７８Ａ）
【０００４】
この種の鍵盤楽器は、鍵の内部にハンマーアームの一端部である鍵当接部が挿入する中空部を設け、この中空部に上弾性部と下弾性部とからなる弾性体を設け、この弾性体の上弾性部と下弾性部とで鍵当接部を上下方向から弾力的に挟むことにより、押鍵時および離鍵時にハンマーアームの鍵当接部が鍵の中空部内で振動しても、その振動を弾性体の上弾性部と下弾性部とによって吸収し、ハンマーアームの振動が鍵に伝わらないようにしている。
【０００５】
【発明が解決しようとする課題】
しかしながら、このような鍵盤楽器では、ハンマーアームによって鍵に所定のアクション荷重を付与することはできても、押鍵時および離鍵時に弾性体の上弾性部と下弾性部とが弾性変形するため、鍵を強く押鍵したときに、鍵の押鍵動作に対するハンマーアームの回動動作に遅れが生じることになり、このためアコースティックピアノの鍵タッチ感に近似した鍵タッチ感が得られないという問題がある。
【０００６】
また、このような鍵盤楽器では、押鍵操作に応じて常に弾性体の上弾性部と下弾性部との両方が弾性変形するため、上弾性部と下弾性部との耐久性に問題があるほか、弾性体が鍵の内部の中空部内に位置し且つ鍵の上面に接近して設けられているので、ハンマーアームの鍵当接部を弾性体に挟み込む際に、弾性体が見えにくいばかりか、ハンマーアームの鍵当接部を弾性体に挿入しにくいため、組み立て作業性も悪いという問題もある。
【０００７】
この発明の課題は、耐久性および組み立て作業性が良く、且つアコースティックピアノの鍵タッチ感に近似した鍵タッチ感が良好に得られるようにすることである。
【０００８】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図１２に示すように、鍵盤シャーシ（１）と、この鍵盤シャーシ上に上下方向に回動可能に配置された複数の鍵（２）と、これら複数の鍵それぞれに対応して配置され、前記鍵の押鍵操作に伴って回動変位して前記鍵にアクション荷重を付与するハンマーアーム（３）とを備えた鍵盤装置において、前記鍵に延出部（３６）を前記鍵の下方に突出させて延設し、この延出部の下部に前記ハンマーアームの一端部（鍵当接部２９、５０）を挟んで保持するための上固定板部（４０、５２）と弾性変形可能な下係止部（４１、５３、５６）とからなるハンマー保持部（３８、５１、５５）を設けたことを特徴とする鍵盤装置である。
【０００９】
この発明によれば、鍵の延出部に設けられてハンマーアームの一端部（つまりハンマーアームの鍵当接部）を挟んで保持するハンマー保持部を上固定板部と弾性変形可能な下係止部とで構成したことにより、押鍵時および離鍵時にハンマー保持部の上固定板部が弾性変形することがないので、鍵を強く押鍵したときでも、鍵の押鍵動作をハンマーアームに動作遅れが生じることなく伝えることができ、これによりアコースティックピアノの鍵タッチ感に近似した鍵タッチ感を良好に得ることができる。
【００１０】
また、この発明によれば、鍵に延出部を鍵の下方に突出させて延設し、この延出部の下部にハンマーアームの一端部を弾力的に保持する弾性変形可能な下係止部を設けたので、この下係止部の弾性変形により押鍵時および離鍵時におけるハンマーアームの振動を吸収することができるばかりか、押鍵時および離鍵時にハンマー保持部の上固定板部が弾性変形することがないので、耐久性をも高めることができ、しかもハンマー保持部が鍵の下方に露出しているので、ハンマー保持部が見やすくなり、このためハンマーアームの一端部をハンマー保持部に容易に保持させることができ、これにより組み立て作業性を向上させることができる。
【００１１】
請求項２に記載の発明は、図１〜図７に示すように、前記ハンマー保持部（３８）の前記下係止部（４１）が、前記ハンマーアーム（３）の前記一端部（鍵当接部２９）における先端面に沿って弾性変形して乗り越えることにより、前記先端側の下面を弾力的に保持することを特徴とする請求項１に記載の鍵盤装置である。
この発明によれば、ハンマー保持部の上固定板部と下係止部との間にハンマーアームの一端部を保持させるときに、下係止部がハンマーアームの一端部の先端面に沿って弾性変形して乗り越え、その先端側の下面を下係止部が弾性復帰して係止するので、ハンマーアームの一端部をハンマー保持部の上固定板部と下係止部との間に容易に且つ確実に保持させることができる。
【００１２】
請求項３に記載の発明は、図１〜図７に示すように、前記ハンマーアーム（３）の前記一端部（鍵当接部２９）における前記先端面の下部に、前記下係止部（４１）を弾性変形させて乗り越えさせるための突起部（３２）が先端方向に向けて突出して設けられていることを特徴とする請求項２に記載の鍵盤装置である。この発明によれば、ハンマー保持部の上固定板部と下係止部との間にハンマーアームの一端部を保持させるときに、ハンマーアームの一端部に設けられた突起部が下係止部を強制的に弾性変形させることができ、この弾性変形した下係止部が突起部を乗り越えると、下係止部が弾性復帰して突起部の下面を確実に係止することができ、これによりハンマーアームの一端部をハンマー保持部の上固定板部と下係止部との間に確実に保持させることができる。
【００１３】
請求項４に記載の発明は、図８〜図１２に示すように、前記ハンマー保持部（５１、５５）の前記下係止部（５３、５６）が、前記ハンマーアーム（３）の前記一端部（鍵当接部５０）における両側面のうち、少なくとも片面に沿って弾性変形して乗り越えることにより、前記ハンマーアームの前記一端部の下面を弾力的に保持することを特徴とする請求項１に記載の鍵盤装置である。
この発明によれば、ハンマー保持部の上固定板部と下係止部との間にハンマーアームの一端部を保持させるときに、下係止部がハンマーアームの一端部の両側面のうち、少なくとも片面に沿って弾性変形して乗り越えると、下係止部が弾性復帰してハンマーアームの一端部の下面を係止するので、ハンマーアームの一端部をハンマー保持部の上固定板部と下係止部との間に容易に且つ確実に保持させることができる。この場合、ハンマー保持部がハンマーアームの一端部の両側面に沿ってそれぞれ弾性変形して乗り越える一対の下係止部（５３）を備えていれば、ハンマーアームの一端部の下面をその両側から係止することができるので、ハンマーアームの一端部をハンマー保持部の上固定板部と下係止部との間に、より一層、確実に保持することができる。
【００１４】
請求項５に記載の発明は、図１〜図１２に示すように、前記鍵（２）の前記延出部（３６）における前記ハンマー保持部（３８、５１、５５）の上方に位置する個所に、前記鍵盤シャーシ（１）に設けられた鍵ガイド（７）によってガイドされるガイド部（３７）が設けられていることを特徴とする請求項１〜４のいずれかに記載の鍵盤装置である。
この発明によれば、鍵の延出部におけるハンマー保持部の上方に位置する個所に設けられたガイド部が鍵盤シャーシの鍵ガイドによってガイドされるので、鍵の横振れを防ぐことができる。このため、ハンマー保持部の上固定板部と下係止部との間にハンマーアームの一端部を保持させるときに、鍵が横振れしないため、ハンマーアームの一端部をハンマー保持部に容易に対応させて挿入させることができ、これによっても組み立て作業性の向上を図ることができるほか、ハンマーアームの横振れをも防ぐことができるので、鍵およびハンマーアームを上下方向に円滑に動作させることができ、これにより良好に押鍵操作をすることができる。
【００１５】
【発明の実施の形態】
［第１実施形態］
以下、図１〜図７を参照して、この発明の鍵盤装置の第１実施形態について説明する。
この鍵盤装置は、図１および図２に示すように、合成樹脂製の鍵盤シャーシ１と、この鍵盤シャーシ１上に上下方向に回動可能に設けられた合成樹脂製の複数の鍵（白鍵と黒鍵、ただしここでは白鍵について説明する。）２と、これら複数の鍵２にそれぞれアクション荷重を付与するハンマーアーム３と、各鍵２の押鍵動作に応じてオン信号を出力するゴムスイッチ４とを備えている。
【００１６】
鍵盤シャーシ１は、図１および図２に示すように、楽器本体の下部ケースを構成するものであり、合成樹脂により後述する各部が一体に形成されている。すなわち、鍵盤シャーシ１の前端部（図１では右端部）には、前カバー部５が底部側から上方に突出して形成されており、この前カバー部５の後部側には、断面形状がほぼＮ字状のガイド載置部６が前カバー部５の高さのほぼ半分程度の高さで形成されている。このガイド載置部６上には、鍵２の横振れを防ぐための鍵ガイド７が後方（図１では左側）に突出した先端部からほぼ垂直に起立した状態で形成されている。
【００１７】
また、鍵盤シャーシ１の中間部における前部側には、ストッパ載置部８とハンマー載置部９とが前後に形成されている。ストッパ載置部８は、ガイド載置部６の高さのほぼ半分程度の高さに形成されており、その上面には、押鍵されたときに鍵２の下限位置を規制するフェルトなどの下限ストッパ１０が設けられている。ハンマー載置部９は、ストッパ載置部８よりも少し高く形成されており、その上面には、ハンマー支持部１１が形成されている。この場合、ガイド載置部６の下面およびハンマー載置部９の下面には、図１および図２に示すように、取付ボス１２がそれぞれ垂下されており、これら取付ボス１２の下端部には、ガイド載置部６、ストッパ載置部８、およびハンマー載置部９の各底部を連続して塞ぐ前側の底板１３がビス１４によって取り付けられている。
【００１８】
また、鍵盤シャーシ１の中間部における後部側は、鍵盤シャーシ１の強度を確保するための補強部１５がほぼＭ字状に形成されている。この補強部１５は、前部側がハンマー載置部９とほぼ同じ高さで、且つ後部側（図１では左側）が次第に低くなるように形成されている。この補強部１５の所定個所には、複数の支持ボス１６がガイド載置部６よりも高く形成されており、これら支持ボス１６上には、スイッチ基板１７がビス止めされている。さらに、鍵盤シャーシ１の後部には、図１および図２に示すように、鍵保持部１８が前カバー部５よりも少し低く、且つスイッチ基板１７よりも少し高く形成されており、その上面には鍵２を回動可能に支持するための鍵支持部１９が形成されている。
【００１９】
この場合、鍵保持部１８の前側の脚部２０には、ハンマーアーム３の後端部が挿入する開口部２１が鍵２の配列方向に沿って設けられている。また、この鍵保持部１８にも、取付ボス２２が垂下されており、これら取付ボス２２の下端部には、鍵保持部１８の底部を塞ぐ後側の底板２３がビス２４によって取り付けられている。この底板２３の上面には、ハンマーアーム３の下限位置を規制するフェルトなどの下限ストッパ２５が設けられており、鍵保持部１８の下面には、ハンマーアーム３の上限位置を規制するフェルトなどの上限ストッパ２６が設けられている。
【００２０】
一方、ハンマーアーム３は、図１および図２に示すように、鍵盤シャーシ１の中間部の上側に配置されるアーム本体２７と、このアーム本体２７の後端部（図１では左端部）に設けられた錘部２８と、アーム本体２７の前端部（図１では右端部）に設けられた鍵当接部２９と、アーム本体２７における鍵当接部２９の後部に位置する個所に設けられた回動支持部３０とを備えている。このハンマーアーム３は、鍵盤シャーシ１の上方から、錘部２８を鍵盤シャーシ１の鍵保持部１８における前側の脚部２０の開口部２１に挿入させた上、鍵当接部２９を鍵盤シャーシ１の鍵ガイド７の下側に配置させ、この状態で回動支持部３０を鍵盤シャーシ１のハンマー支持部１１に設けられたハンマー支持軸３１に上下方向に回動自在に取り付けられている。
【００２１】
この場合、鍵当接部２９は、ゴムなどの弾性材料からなり、その上面が円弧状に形成され、下面が前上がり（図１では右上がり）の傾斜面に形成されている。この鍵当接部２９の先端面（図１では右端面）における下部には、ほぼ三角形状の突起部３２が鍵２の前方（図１では右方向）に突出して形成されている。このハンマーアーム３は、図１に示すように、通常は錘部２８の重量によって下方に付勢され、この錘部２８が底板２３上に設けられたフェルトなどの下限ストッパ２５に当接することにより、所定の下限位置に位置規制されるように構成されている。また、このハンマーアーム３は、錘部２８の重量に抗して鍵２が押鍵され際に、図２に示すように、錘部２８が鍵盤シャーシ１の鍵保持部１８の下面に設けられたフェルトなどの上限ストッパ２６に当接することにより、所定の上限位置に位置規制されるように構成されている。
【００２２】
鍵２は、図１および図２に示すように、その後端部（図１では左端部）の両側面に鍵取付孔部３３が設けられ、この鍵取付孔部３３が鍵盤シャーシ１の鍵支持部１９に設けられた鍵支持軸３４に回動可能に取り付けられ、これにより鍵支持軸３４を中心に上下方向に回動するように構成されている。この鍵２の中間部には、鍵盤シャーシ１の補強部１５の支持ボス１６上に取り付けられたスイッチ基板１７のゴムスイッチ４を押圧するスイッチ押圧部３５が形成されている。また、この鍵２におけるスイッチ押圧部３５の前側に位置する個所、つまり鍵盤シャーシ１の鍵ガイド７に対応する個所には、延出部３６が鍵２の下方に突出して延設されている。
【００２３】
この延出部３６は、断面形状がほぼ逆コ字状に形成され、鍵２内の下面から鍵盤シャーシ１の鍵ガイド７の下側に突出して形成されている。この延出部３６の上部には、鍵ガイド７が挿入して上下方向にガイドされるガイド部３７が鍵２の前方（図１では右側）に開放された状態で形成されている。また、この延出部３６の下部、つまり鍵ガイド７の下側に突出した下部には、ハンマーアーム３の鍵当接部２９を挟んで保持するハンマー保持部３８が形成されている。このハンマー保持部３８は、図１および図２に示すように、上固定板部４０と下係止部４１とからなっている。
【００２４】
この場合、上固定板部４０は、鍵２の上面つまり押鍵面に対しほぼ平行に形成された板部であり、その前端部を除いて外周端部が延出部３６に弾性変形することなく一体に形成され、この状態で上固定板部４０の下面にハンマーアーム３の鍵当接部２９の上面が当接して摺動するように構成されている。また、下係止部４１は、上固定板部４０の下面における前端部（図１では右端部）から垂下されたアーム部４１ａと、このアーム部４１ａの下端部から後方（同図では左方）に向けて延出された係止片４１ｂとからなり、この係止片４１ｂがハンマーアーム３の鍵当接部２９の先端面に沿って弾性変形すると共に、その先端面の突起部３２を弾性変形して乗り越えるにより、係止片４１ｂがハンマーアーム３の鍵当接部２９の下面つまり突起部３２の下面に当接して鍵当接部２９を弾力的に保持するように構成されている。
【００２５】
また、この鍵２は、ハンマーアーム３の鍵当接部２９によって上方に付勢され、通常は図１に示すようにハンマーアーム３の錘部２８が下限ストッパ２５に当接することにより、鍵２の初期位置である上限位置に位置規制されている。また、この鍵２は、ハンマーアーム３の錘部２８の重量に抗して鍵２が押鍵されたときに、図２に示すように、錘部２８が上限ストッパ２６に当接すると共に、ハンマーアーム３の鍵当接部２９の下面がストッパ載置部８上の下限ストッパ１０にも当接することにより、所定の下限位置に位置規制されるように構成されている。
【００２６】
なお、ゴムスイッチ４は、スイッチ基板１７上に配置されるゴムシートを備え、このゴムシートにドーム状の膨出部が形成され、この膨出部内に可動接点が設けられ、この可動接点がスイッチ基板１７上の固定接点に接離可能に離間して対向し、押鍵動作に応じて鍵２のスイッチ押圧部３５によって膨出部が押圧されたときに、膨出部が弾性変形して可動接点が固定接点に接触し、これによりオン信号を出力するように構成されている。
【００２７】
次に、このような鍵盤装置を組み立てる場合について説明する。
この場合には、図３に示すように、予め、鍵盤シャーシ１の底部に底板１３、２３をそれぞれ取り付ける。この後、ハンマーアーム３を鍵盤シャーシ１上に配置する。このときには、ハンマーアーム３の錘部２８を鍵盤シャーシ１の鍵保持部１８における前側の脚部２０の開口部２１に挿入させた上、鍵当接部２９を鍵盤シャーシ１の鍵ガイド７の下側に配置させ、この状態で回動支持部３０を鍵盤シャーシ１のハンマー支持部１１に設けられたハンマー支持軸３１に回動自在に取り付ける。そして、鍵盤シャーシ１の中間部に設けられた支持ボス１６上にスイッチ基板１７を取り付けた後、その上方から鍵２を鍵盤シャーシ１上に取り付ける。
【００２８】
このときには、まず、鍵２の延出部３６の上部に設けられたガイド部３７に鍵盤シャーシ１の鍵ガイド７を挿入させ、この状態で鍵２の延出部３６の下部に設けられたハンマー保持部３８の上固定板部４０と下係止部４１との間にハンマーアーム３の鍵当接部２９を挿入させて保持させる。この場合には、まず、図３および図４に示すように、ハンマー保持部３８の下係止部４１の下方に鍵当接部２９を対応させ、この状態で鍵２を押し下げる。このとき、鍵２は鍵ガイド７によって横振れしないようにガイドされているので、鍵２のハンマー保持部３８をハンマーアーム３の鍵当接部２９に確実に対応させた状態で押し下げることができる。
【００２９】
このようして、鍵２が押し下げられると、図５に示すように、ハンマー保持部３８の下係止部４１の係止片４１ｂが鍵当接部２９の先端面に沿って下方に移動して鍵当接部２９の突起部３２に当接する。そして、図６に示すように、鍵２を更に押し下げると、ハンマー保持部３８の下係止部４１の係止片４１ｂが鍵当接部２９の突起部３２によって押し上げられ、これにより下係止部４１の係止片４１ｂが上方に向けて弾性変形し、この弾性変形した下係止部４１の係止片４１ｂが突起部３２を乗り越える。すると、図７に示すように、係止片４１ｂが弾性復帰し、この弾性復帰した係止片４１ｂが鍵当接部２９の突起部３２の下面に当接して鍵当接部２９を弾力的に保持する。
【００３０】
これにより、ハンマーアーム３の鍵当接部２９がハンマー保持部３８の上固定板部４０と下係止部４１との間に挟まれ、この状態で鍵当接部２９が上固定板部４と下係止部４１との間に摺動可能に保持される。この状態で、鍵２のスイッチ押圧部３５をスイッチ基板１７のゴムスイッチ４に対応させて、鍵２の後端部の鍵取付孔部３３を鍵盤シャーシ１の鍵支持部１９の鍵支持軸３４に上下方向に回動可能に取り付ける。これにより、鍵盤シャーシ１上に鍵２とハンマーアーム３とが上下方向に回動可能に取り付けられる。
【００３１】
このように組み立てられた鍵盤装置では、図１に示すように、通常はハンマーアーム３がその錘部２８の重量によって下方に付勢され、この錘部２８が底板２３上の下限ストッパ２５に当接し、これによりハンマーアーム３が所定の下限位置に位置規制されると共に、このハンマーアーム３の鍵当接部２９によって鍵２が上方に付勢されて所定の初期位置である上限位置に位置規制される。この状態で、ハンマーアーム３の錘部２８の重量に抗して鍵２を押鍵すると、図２に示すように、その鍵２が後端部の鍵支持軸３４を中心に時計回りに回動する。このときには、鍵２の延出部３６のガイド部３７が鍵ガイド７によってガイドされるので、鍵２が横振れすることなく、円滑に鍵２の延出部３６が下方に移動する。
【００３２】
これと同時に鍵２の延出部３６の下部に設けられたハンマー保持部３８の上固定板部４０がハンマーアーム３の鍵当接部２９を押し下げるので、ハンマーアーム３がハンマー支持軸３１を中心に図１において時計回りに回動する。これにより、鍵２にハンマーアームの錘部２８の重量に応じたアクション荷重が付与される。このときには、ハンマーアーム３の鍵当接部２９が鍵２の延出部３６の下部に設けられたハンマー保持部３８の上固定板部４０と下係止部４１との間に保持されているので、鍵当接部２９が上固定板部４０と下係止部４１との間で摺動しながらハンマーアーム３を回動させることができると共に、ハンマー保持部３８の上固定板部４０が弾性変形しないため、鍵２の回動動作がハンマーアーム３に確実に伝達され、これによりアコースティックピアノの鍵タッチ感に近似した鍵タッチ感を得ることができる。
【００３３】
このように鍵２が回動してハンマーアーム３を回動させると、図２に示すように、鍵２のスイッチ押圧部３５がゴムスイッチ４を押圧して、ゴムスイッチ４をオンさせた後、ハンマーアーム３の錘部２８が鍵盤シャーシ１の鍵保持部１８の下面に設けられた上限ストッパ２６に当接し、これによりハンマーアーム３および鍵２の回動が停止する。なお、この後は、ハンマーアーム３がその錘部２８の重量によって上記と逆の方向に回動するので、これに伴って鍵２も上記と逆の方向に回動し、これにより鍵２およびハンマーアーム３が図１に示す初期位置に戻る。このときにも、ハンマー保持部３８の上固定板部４０が弾性変形しないため、ハンマーアーム３の回動動作を鍵２に確実に伝達することができる。
【００３４】
このように、この鍵盤装置では、鍵２に延出部３６を鍵２の下方に突出させて延設し、この延出部３６の下部にハンマーアーム３の鍵当接部２９を保持するハンマー保持部３８を設け、このハンマー保持部３８を弾性変形しない上固定板部４と弾性変形可能な下係止部４１とで構成したことにより、押鍵時にハンマー保持部３８の上固定板部４０が弾性変形せずに、ハンマーアーム３の鍵当接部２９を押し下げるので、鍵２を強く押鍵しても、鍵２の回動動作をハンマーアーム３に確実に伝達することができると共に、離鍵時にハンマーアーム３の鍵当接部２９が鍵２を押し上げても、ハンマー保持部３８の上固定板部４０が弾性変形しないので、ハンマーアーム３の回動動作を鍵２に確実に伝達することができる。このため、先行文献のように鍵２の回動動作に対してハンマーアーム３の回動動作が遅れることがなく、鍵２の動作をハンマーアーム３に確実に伝えることができ、これによりアコースティックピアノの鍵タッチ感に近似した鍵タッチ感を良好に得ることができる。
【００３５】
また、鍵２の延出部３６の下部に形成されたハンマー保持部３８の上固定板部４０が弾性変形しない構造であることにより、押鍵時および離鍵時に下係止部４１に加わる負荷を軽減することができ、これにより耐久性を高めることができる。さらに、鍵２の延出部３６の下部に設けられたハンマー保持部３８の下係止部４１が弾性変形する構造であるから、このハンマー保持部３８の下係止部４１によって押鍵時および離鍵時にハンマーアーム３の振動が鍵２の上面つまり押鍵面に伝わらないように吸収することができるばかりか、ハンマー保持部３８にハンマーアーム３の鍵当接部２９を保持するときに、下係止部４１がハンマーアーム３の鍵当接部２９の先端面に沿って弾性変形して乗り越え、鍵当接部２９の先端側の下面を下係止部４１が弾性復帰して係止するので、ハンマーアーム３の鍵当接部２９をハンマー保持部３８の上固定板部４０と下係止部４１との間に容易に且つ確実に保持させることができる。
【００３６】
この場合、特にハンマーアーム３の鍵当接部２９の先端面における下部に突起部３２を鍵２の前方（図１では右方向）に向けて突出させて形成したので、鍵２の延出部３６に設けられたハンマー保持部３８に鍵当接部２９を保持させるときに、ハンマーアーム３の鍵当接部２９に設けられた突起部３２がハンマー保持部３８の下係止部４１を強制的に弾性変形させることができ、この弾性変形した下係止部４１が突起部３２を乗り越えると、下係止部４１が速やかに弾性復帰して突起部３２の下面を確実に係止させることができ、これによってもハンマーアーム３の鍵当接部２９をハンマー保持部３８の上固定板部４０と下係止部４１との間に確実に保持させることができる。
【００３７】
また、鍵２の延出部３６の下部が鍵盤シャーシ１の鍵ガイド７の下側に突出し、この突出した下部にハンマー保持部３８を設けたので、このハンマー保持部３８にハンマーアーム３の鍵当接部２９を保持されるときに、ハンマー保持部３８が鍵２の下方に露出し、この露出したハンマー保持部３８および鍵当接部２９が見やすくなり、このためハンマー保持部３８に鍵当接部２９を容易に挟み込んで保持させることができ、これにより組み立て作業性の向上を図ることができる。
【００３８】
さらに、ハンマー保持部３８の上部に位置する延出部３６に鍵盤シャーシ１の鍵ガイド７が挿入してガイドされるガイド部３７が設けられているので、鍵２の横振れを防ぐことができる。このため、ハンマー保持部３８にハンマーアーム３の鍵当接部２９を保持させるときに、鍵２が横振れせず、鍵当接部２９をハンマー保持部３８に容易に対応させて挿入させることができ、これによっても組み立て作業性の向上を図ることができるほか、ハンマーアーム３の横振れをも防ぐことができるので、鍵２およびハンマーアーム３を上下方向に円滑に動作させることができ、これにより良好に押鍵操作をすることができる。
【００３９】
［第２実施形態］
次に、図８〜図１０を参照して、この発明の鍵盤装置の第２実施形態について説明する。なお、図１〜図７に示された第１実施形態と同一部分には同一符号を付して説明する。
この鍵盤装置は、ハンマーアーム３の鍵当接部５０と、鍵２の延出部３６の下部に形成されたハンマー保持部５１とが第１実施形態と異なる構造で、これ以外は第１実施形態とほぼ同じ構造になっている。すなわち、ハンマーアーム３の鍵当接部５０は、図８〜図１０に示すように、ゴムなどの弾性材料からなり、断面が矩形状の板形状に形成され、その上下面が緩やかな円弧状の曲面に形成されている。
【００４０】
また、ハンマー保持部５１は、第１実施形態と同じ構造の上固定板部５２と、この上固定板部５２の下面における両側部に設けられた一対の下係止部５３とからなっている。すなわち、一対の下係止部５３は、図１０（ａ）〜図１０（ｃ）に示すように、上固定板部５２の下面における両側部から垂下された一対のアーム部５３ａと、各アーム部５３ａの下端が互いに対向する方向に突出して形成された係止片５３ｂとからなり、ハンマーアーム３の鍵当接部５０の両側面に沿って一対のアーム部５３ａが押し広げられる方向に弾性変形して、各係止片５３ｂが鍵当接部５０の両側面を乗り越えることにより、各アーム部５３ａが弾性復帰して各係止片５３ｂが鍵当接部５０の下面を両側から弾力的に保持するように構成されている。
【００４１】
次に、このような鍵盤装置を組み立てる場合について説明する。
この場合には、第１実施形態と同様、鍵盤シャーシ１の底部に底板１３、２３をそれぞれ取り付けた上、ハンマーアーム３を鍵盤シャーシ１上に配置する。このときにも、ハンマーアーム３の錘部２８を鍵盤シャーシ１の鍵保持部１８の開口部２１に挿入させて、鍵当接部５０を鍵盤シャーシ１の鍵ガイド７の下側に配置させ、この状態で回動支持部３０を鍵盤シャーシ１のハンマー支持部１１のハンマー支持軸３１に回動自在に取り付ける。そして、鍵盤シャーシ１の中間部に設けられた支持ボス１６上にスイッチ基板１７を取り付けた後、その上方から鍵２を鍵盤シャーシ１上に取り付ける。
【００４２】
このときには、まず、鍵２の延出部３６の上部に設けられたガイド部３７に鍵盤シャーシ１の鍵ガイド７を挿入させ、この状態で鍵２の延出部３６の下部に設けられたハンマー保持部５１の上固定板部５２と一対の下係止部５３との間にハンマーアーム３の鍵当接部５０を挿入させて保持させる。すなわち、図９および図１０（ａ）に示すように、ハンマー保持部５１の一対の下係止部５３の下方に鍵当接部５０を対応させ、この状態で鍵２を押し下げる。すると、図１０（ｂ）に示すように、一対の下係止部５３の各係止片５３ｂが鍵当接部５０の両側面によって押し広げられ、これにより一対の下係止部５３の各アーム部５３ａが鍵当接部５０の両側面に沿って弾性変形する。そして、図１０（ｃ）に示すように、鍵２が更に押し下げられると、一対の下係止部５３の係止片５３ｂが鍵当接部５０の両側面を乗り越えて、一対の下係止部５３の各アーム部５３ａがそれぞれ弾性復帰し、各係止片５３ｂが鍵当接部５０の下面を両側から弾力的に保持する。
【００４３】
これにより、鍵当接部５０がハンマー保持部５１の上固定板部５１と一対の下係止部５３との間に挟まれ、この状態で鍵当接部５０が上固定板部５１と下係止部５３の各係止片５３ｂとの間で摺動可能に保持される。このときにも、鍵２が鍵盤シャーシ１の鍵ガイド７で横振れすることなく上下方向にガイドされるので、第１実施形態と同様、ハンマー保持部５１を鍵当接部５０に確実に対応させた状態で押し下げることができる。なお、この後は、鍵２のスイッチ押圧部３５をスイッチ基板１７のゴムスイッチ４に対応させて、鍵２の後端部の鍵取付孔部３３を鍵盤シャーシ１の鍵支持部１９の鍵支持軸３４に回動可能に取り付ける。これにより、鍵盤シャーシ１上に鍵２とハンマーアーム３とが上下方向に回動可能に取り付けられる。
【００４４】
このように、この鍵盤装置では、第１実施形態とほぼ同様の作用効果があるほか、特にハンマー保持部５１がハンマーアーム３の鍵当接部５０の両側面に沿ってそれぞれ弾性変形して乗り越える一対の下係止部５３を備えているので、ハンマー保持部５１の上固定板部５２と一対の下係止部５３との間にハンマーアーム３の鍵当接部５０を保持させるときに、ハンマー保持部５１の一対の下係止部５３がハンマーアーム３の鍵当接部５０の両側面に沿ってそれぞれ弾性変形して乗り越えた上、各下係止部５３が弾性復帰して鍵当接部５０の下面を両側から係止することができ、このためハンマーアーム３の鍵当接部５０をハンマー保持部５１の上固定板部５２と一対の下係止部５３との間に、より一層、確実に保持することができる。
【００４５】
なお、上記第２実施形態では、ハンマー保持部５１が一対の下係止部５３を備えた構造になっているが、これに限らず、例えば図１１および図１２に示す変形例のように、ハンマー保持部５５は、ハンマーアーム３の鍵当接部５０における両側面のうち、その片面のみに沿って弾性変形して乗り越える片側の下係止部５６を備えた構造でも良い。この場合にも、下係止部５６は、上固定板部５２の下面における両側の一側部から垂下されたアーム部５６ａと、このアーム５６ａの下端から上固定板部５２の他側部に向けて突出した係止片５６ｂとからなり、ハンマーアーム３の鍵当接部５０の片面に沿ってアーム部５６ａが外側に向けて弾性変形して、係止片５６ｂが鍵当接部５０の側面を乗り越えることにより、アーム部５６ａが弾性復帰して係止片５６ｂが鍵当接部５０の下面を側方から弾力的に保持するように構成されていれば良い。このような構造でも、第２実施形態とほぼ同様の作用効果がある。
【００４６】
また、上記第１、第２実施形態では、ハンマーアーム３を鍵盤シャーシ１上に配置した場合について述べたが、これに限らず、ハンマーアーム３を鍵盤シャーシの下側に配置した構造のものにも適用することができる。この場合の鍵盤シャーシは、その中間部分に載置部を高く形成し、この載置部の下面にハンマー支持部を形成し、載置部の前側の脚部にハンマーアーム３の鍵当接部２９、５０、５５が挿入する開口部を形成した構造であれば良い。このような構造でも、ハンマーアーム３の鍵当接部２９、５０、５５を鍵盤シャーシの開口部を通して鍵ガイドの下側に対応させた、この状態でハンマーアーム３をハンマー支持部のハンマー支持軸に回動可能に取り付けることにより、ハンマーアーム３を鍵盤シャーシの下側に配置することができるので、第１、第２実施形態と同様の作用効果がある。
【００４７】
【発明の効果】
以上説明したように、この発明によれば、鍵盤シャーシと、この鍵盤シャーシ上に上下方向に回動可能に配置された複数の鍵と、これら複数の鍵それぞれに対応して配置され、鍵の押鍵操作に伴って回動変位して鍵にアクション荷重を付与するハンマーアームとを備えた鍵盤装置において、前記鍵に延出部を前記鍵の下方に突出させて延設し、この延出部の下部にハンマーアームの一端部を挟んで保持するための上固定板部と弾性変形可能な下係止部とからなるハンマー保持部を設けたことにより、押鍵時および離鍵時にハンマー保持部の上固定板部が弾性変形することがないので、鍵を強く押鍵したときでも、鍵の押鍵動作をハンマーアームに動作遅れが生じることなく伝えることができ、これによりアコースティックピアノの鍵タッチ感に近似した鍵タッチ感を良好に得ることができる。
【００４８】
この場合、鍵に延出部を鍵の下方に突出させて延設し、この延出部の下部にハンマーアームの一端部を弾力的に保持する弾性変形可能な下係止部を設けたことにより、この下係止部の弾性変形により押鍵時および離鍵時におけるハンマーアームの振動を吸収することができるばかりか、押鍵時および離鍵時にハンマー保持部の上固定板部が弾性変形することがないので、耐久性をも高めることができ、しかもハンマー保持部が鍵の下方に露出しているので、ハンマー保持部が見やすくなり、このためハンマーアームの一端部をハンマー保持部に容易に挿入させることができ、これにより組み立て作業性を向上させることができる。
【００４９】
また、ハンマー保持部の下係止部が、ハンマーアームの一端部における先端面に沿って弾性変形して乗り越えることにより、先端側の下面を弾力的に保持することにより、ハンマー保持部の上固定板部と下係止部との間にハンマーアームの一端部を保持させるときに、下係止部がハンマーアームの一端部の先端面に沿って弾性変形して乗り越え、その先端側の下面を下係止部が弾性復帰して係止するので、ハンマーアームの一端部をハンマー保持部の上固定板部と下係止部との間に容易に且つ確実に保持させることができる。
【００５０】
特に、ハンマーアームの一端部における先端面の下部には、下係止部を弾性変形させて乗り越えさせるための突起部が先端方向に向けて突出して設けられていることにより、ハンマー保持部の上固定板部と下係止部との間にハンマーアームの一端部を保持させるときに、ハンマーアームの一端部に設けられた突起部が下係止部を強制的に弾性変形させることができ、この弾性変形した下係止部が突起部を乗り越えると、下係止部が弾性復帰して突起部の下面を確実に係止することができ、これによりハンマーアームの一端部をハンマー保持部の上固定板部と下係止部との間に確実に保持させることができる。
【００５１】
また、ハンマー保持部の下係止部が、ハンマーアームの一端部における両側面のうち、少なくとも片面に沿って弾性変形して乗り越えることにより、ハンマーアームの一端部の下面を弾力的に保持することにより、ハンマー保持部の上固定板部と下係止部との間にハンマーアームの一端部を保持させるときに、下係止部がハンマーアームの一端部の両側面のうち、少なくとも片面に沿って弾性変形して乗り越えると、下係止部が弾性復帰してハンマーアームの一端部の下面を係止するので、ハンマーアームの一端部をハンマー保持部の上固定板部と下係止部との間に容易に且つ確実に保持させることができる。この場合、ハンマー保持部がハンマーアームの一端部の両側面に沿ってそれぞれ弾性変形して乗り越える一対の下係止部を備えていれば、ハンマーアームの一端部の下面をその両側から係止することができるので、ハンマーアームの一端部をハンマー保持部の上固定板部と下係止部との間に、より一層、確実に保持することができる。
【００５２】
さらに、鍵の延出部におけるハンマー保持部の上方に位置する個所には、鍵盤シャーシに設けられた鍵ガイドによってガイドされるガイド部が設けられていることにより、ハンマー保持部の延出部のガイド部が鍵盤シャーシの鍵ガイドによってガイドされるので、鍵の横振れを防ぐことができる。このため、ハンマー保持部の上固定板部と下係止部との間にハンマーアームの一端部を保持させるときに、鍵が横振れしないため、ハンマーアームの一端部をハンマー保持部に容易に対応させて挿入させることができ、これによっても組み立て作業性の向上を図ることができるほか、ハンマーアームの横振れをも防ぐことができるので、鍵およびハンマーアームを上下方向に円滑に動作させることができ、これにより良好に押鍵操作をすることができる。
【図面の簡単な説明】
【図１】この発明の鍵盤装置の第１実施形態を示した断面図。
【図２】図１の鍵を押鍵した状態を示した断面図。
【図３】図１の鍵盤シャーシに鍵を取り付ける状態を示した断面図。
【図４】図３の状態における鍵の延出部とハンマーアームの鍵当接部との対応関係を示した要部の断面図。
【図５】図４の状態で鍵を押し下げてハンマー保持部の下係止部が鍵当接部の突起部に当接した状態を示した要部の断面図。
【図６】図５の状態で鍵を更に押し下げてハンマー保持部の下係止部が鍵当接部の突起部によって弾性変形した状態を示した要部の断面図。
【図７】図６の状態で更に鍵を押し下げてハンマー保持部の下係止部が鍵当接部の突起部を乗り越えた状態を示した要部の断面図。
【図８】この発明の鍵盤装置の第２実施形態を示した断面図。
【図９】図８のハンマーアームと鍵とを分解して示した断面図。
【図１０】図９における鍵の延出部の下部に形成されたハンマー保持部にハンマーアームの鍵当接部を保持させる過程を示し、（ａ）はハンマー保持部を鍵当接部の上方に対応させた状態を示した要部の拡大断面図、（ｂ）はその状態で鍵を押し下げてハンマー保持部の一対の下係止部間に鍵当接部が挿入した状態を示した要部の拡大断面図、（ｃ）は更に鍵を押し下げて一対の下係止部が鍵当接部の両側面を乗り越えて鍵当接部の下面を係止した状態を示した要部の拡大断面図。
【図１１】第２実施形態のハンマー保持部の変形例を示した鍵の断面図。
【図１２】図１１における鍵のハンマー保持部にハンマーアームの鍵当接部を保持させる過程を示し、（ａ）はハンマー保持部を鍵当接部の上方に対応させた状態を示した要部の拡大断面図、（ｂ）はその状態で鍵を押し下げてハンマー保持部の下係止部が鍵当接部の片面に当接した状態を示した要部の拡大断面図、（ｃ）は更に鍵を押し下げて下係止部が鍵当接部の片面を乗り越えて鍵当接部の下面を係止した状態を示した要部の拡大断面図。
【符号の説明】
１  鍵盤シャーシ
２  鍵
３  ハンマーアーム
４  ゴムスイッチ
７  鍵ガイド
１１  ハンマー支持部
１９  鍵支持部
２７  アーム本体
２８  錘部
２９、５０  鍵当接部
３０  回動支持部
３６  延出部
３７  ガイド部
３８、５１、５５  ハンマー保持部
４０、５２  上固定板部
４１、５３、５６  下係止部
【図１】
2004226688.tif 000003
【図２】
2004226688.tif 000004
【図３】
2004226688.tif 000005
【図４】
2004226688.tif 000006
【図５】
2004226688.tif 000007
【図６】
2004226688.tif 000008
【図７】
2004226688.tif 000009
【図８】
2004226688.tif 000010
【図９】
2004226688.tif 000011
【図１０】
2004226688.tif 000012
【図１１】
2004226688.tif 000013
【図１２】
2004226688.tif 000014